(57)【要約】【課題】  燃焼効率がよく、省燃費及びパワーアップの効果もあり、且つ環境保護増進が図れるナノメートル黒水晶セラミック水触媒内燃機エアフィルターを提供する。【解決手段】  矩形のベース２０と、ベース２０の上に設置される下層金属網３０と、高酸素セラミックパウダーにより発泡成型される多数の流通のための穴を有する硬固なフィルター片で、流通のための穴の表面にはナノメートル黒色プラチナを有するセラミックフィルター芯４０と、セラミックフィルター芯４０の４周及び底面を包み、下層金属網３０上に置かれる下層フィルタースポンジ５０と、セラミックフィルター芯４０の上表面に設置される上層フィルタースポンジ６０と、上層フィルタースポンジ６０の上に設けられる上層金属網７０と、上枠８０とを備える。【選択図】    図２
0003108129.tif 000002
【実用新案登録請求の範囲】
【請求項１】
矩形枠ボディを呈し、底内縁に定位凸縁を有し、上端に外環枠面及び内環枠面を有するベースと、
前記ベースの定位凸縁上に設置される下層金属網と、
高酸素セラミックパウダーにより発泡成型される多数の流通のための穴を有する硬固なフィルター片であって、前記流通のための穴の表面にはナノメートル黒色プラチナ（Platinum Black）を有するセラミックフィルター芯と、
前記セラミックフィルター芯の４周及び底面を包み、前記セラミックフィルター芯と共に前記下層金属網上に置かれる下層フィルタースポンジと、
前記セラミックフィルター芯の上表面に設置さる上層フィルタースポンジと、
前記上層フィルタースポンジの上に設けられ、その４周辺はベースの内環枠面上に跨って置かれる上層金属網と、
断面がｍ字型を呈していて、外側枠は前記ベースの外環枠面に入り、また内側枠は前記内環枠面に入る上枠と
を備えることを特徴とするナノメートル黒水晶セラミック水触媒内燃機エアフィルター。
【請求項２】
前記ベースの底縁には第１粘着帯を有し、表面には第２粘着帯の取り外し可能なフィルタースポンジを対応して貼り付けることを特徴とする請求項１に記載のナノメートル黒水晶セラミック水触媒内燃機エアフィルター。
【請求項３】
前記第１粘着体及び前記第２粘着帯は枠型の薄片体を呈していて、そのうちひとつはオス粘着帯であり、もうひとつはメス粘着帯であることを特徴とする請求項２に記載のナノメートル黒水晶セラミック水触媒内燃機エアフィルター。
【請求項４】
前記高酸素セラミックパウダーは酸化ジルコニウム（ＺｒＯ2）、三酸化二アルミ（Ａｌ2Ｏ3）及びカオリンを混合して焼結させたもので、ナノメートル級の粉末状に研磨製成したものであることを特徴とする請求項１に記載のナノメートル黒水晶セラミック水触媒内燃機エアフィルター。
【請求項５】
前記ナノメートル黒色プラチナは蒸メッキ或いは噴射メッキ方式によりその硬固なフィルター片の流通穴表面に付着することを特徴とする請求項１に記載のナノメートル黒水晶セラミック水触媒内燃機エアフィルター。
【考案の詳細な説明】
【技術分野】
【０００１】
本考案は内燃機で使用するエアフィルターに関し、特にフィルター芯が高酸素セラミックにより発泡成型され、多数の穴を有するフィルター片であり、穴の表面にはナノメートル黒色プラチナを有し、内燃機に進入し燃焼に使用される空気の表面触媒作用を加速させ、水分子団（Cluster）を細微化することにより、水分子の自由度を増加させ、これにより空気の燃焼効率を増進させる。
【背景技術】
【０００２】
自動車用エアフィルターは、主に車内に侵入する空気をフィルター芯により濾過してエンジンへの雑物の進入を妨げ、エンジンの寿命及び効率の向上を図る。
従来のフィルター１０は、図１に示すように、枠１１内に濾紙が繰り返し折り曲げられて形成されるフィルター芯１２を備え、各々の折り曲げられたフィルター芯の隙間が空気を流通させていた。
【０００３】
しかしながら、上述の従来のエアフィルター芯１２の構造は、使用上に於いて以下のような欠点があった。
（１）濾紙により構成されるフィルター芯１２は僅かに空気中の粉塵を濾過除去することができるだけであり、通過する空気の酸素分子を増進させる功能は無い。
（２）濾紙は繊維が集まってできており、しばらくの時間使用後埃が吸い付きやすくなるが、変形しやすく変形が空気の流通に影響するため、洗って綺麗にすることができず、必ずフィルター１０全体を交換することが必要となり、高価な維持費用を必要とした。
これを鑑み、よどみない改良、不断の研究開発、テストを経て、ついに本考案が誕生した。
【考案の開示】
【考案が解決しようとする課題】
【０００４】
本考案の主要な目的は、一種のエアフィルター器を提供することであり、そのフィルター芯は高酸素セラミック粉末を発泡させて成型され、多くの隙間穴を持つ硬固なフィルター片であり、これにより濾過面積が増加するのみならず、気流の圧迫により変形することなく、永久に接触面積のバランスを保つことが可能であり、進入する空気と高酸素セラミックが充分接触することができる。これと同時に、高酸素セラミックはその組み合わされる材料の特性として、マイクロメートル電波を発することができ、これによりマイナスイオンを放出し、内燃機に進入する空気の酸素含有量を増加させ、空気を活性化し燃焼効率を増進する。
【０００５】
本考案のもうひとつの目的は、高酸素セラミック発泡成型によるフィルター芯表面或いは内部において、ナノメートル級の黒色プラチナ(Platinum Black)を塗布或いは添加することにより、吸い込まれる空気がフィルター芯通過後触媒作用を生み、水分子団（Cluster）を細微化することにより、水分子の自由度を増加させ、酸素、窒素分子を瞬時に分解し、内燃機（エンジン）に噴入するガソリンと共に充分に攪拌霧化され、燃焼効率を増進させる。
【０００６】
本考案のさらにもうひとつの目的は、一種のエアフィルターを提供することであり、そのセラミックフィルター芯以外に、更に多層スポンジ体を有し空気中の粉塵雑物を濾過し、並びに進入する空気の乱れた流れをスムーズな流れに整え、これにより空気がキャブレターを通過する際に発生する騒音を減少させる。
本考案のさらにもうひとつの目的は、そのセラミックフィルター芯が硬固なものであることにより、取り外して洗い、繰り返して使用でき、使用コスト低減を図る。
【０００７】
本考案は前掲の技術手段により製造されたナノメートル黒水晶セラミック水触媒内燃機エアフィルターであり、内燃機に吸入される空気を活性化して燃焼効率を増進させ、更に省燃費及びパワーアップの効果もあり、且つ放出される排気中の一酸化炭素等の有毒気体の含有量を減らし、環境保護増進の目的を達成する。
【課題を解決するための手段】
【０００８】
上記目的を達成するため、本考案に係るナノメートル黒水晶セラミック水触媒内燃機エアフィルターは、矩形枠ボディを呈し、底内縁に定位凸縁を有し、上端に外環枠面及び内環枠面を有するベースと、前記ベースの定位凸縁上に設置される下層金属網と、高酸素セラミックパウダーにより発泡成型される多数の流通のための穴を有する硬固なフィルター片で、前記流通のための穴の表面にはナノメートル黒色プラチナ（Platinum Black）を有するセラミックフィルター芯と、前記セラミックフィルター芯の４周及び底面を包み、前記セラミックフィルター芯と共に前記下層金属網上に置かれる下層フィルタースポンジと、前記セラミックフィルター芯の上表面に設置さる上層フィルタースポンジと、前記上層フィルタースポンジの上に設けられ、その４周辺はベースの内環枠面上に跨って置かれる上層金属網と、断面がｍ字型を呈していて、外側枠は前記ベースの外環枠面に入り、また内側枠は前記内環枠面に入る上枠とを備える。
【考案を実施するための最良の形態】
【０００９】
まず、図２〜図５に示すように、本考案の実施例において掲示するエアフィルター１００は、ベース２０と、下層金属網３０と、セラミックフィルター芯４０と、下層フィルタースポンジ５０と、上層フィルタースポンジ６０と、上層金属網７０と、上枠８０とを備える。
【００１０】
ベース２０は、矩形枠ボディを呈していて、底内縁には定位凸縁２１を有し、上端には外環枠面２２及び内環枠面２３を有している。
下層金属網３０は、ベース２０の定位凸縁２１上に設置される。
セラミックフィルター芯４０は、高酸素セラミックパウダーにより発泡成型され、多数の流通のための穴４１を有する硬固なフィルター片で、流通のための穴４１の表面にはナノメートル黒色プラチナ（Platinum Black）を有する。
【００１１】
下層フィルタースポンジ５０は、セラミックフィルター芯４０の４周及び底面を包み設けられ、セラミックフィルター芯４０と共にその下層金属網３０上に置かれる。
上層フィルタースポンジ６０は、セラミックフィルター芯４０の上表面に設置される。
上層金属網７０は、上層フィルタースポンジ６０の上に設けられ、その４周辺はベースの内環枠面２３上に跨って置かれる。
上枠８０は、断面がｍ字型を呈していて、外側枠８１はベース２０の外環枠面２２に入り、また内側枠８２はその内環枠面２３に入る。
【００１２】
上掲の構成に従い、組み合わされて図３の示すエアフィルター１００の形態となる。図４は図３の４−４線に沿う断面を示す剖示図であり、図５は図４の部分拡大図である。
上枠８０は下層金属網３０、セラミックフィルター芯４０、上、下層フィルタースポンジ６０、５０及び上層金属網７０を順序に従いベース２０内に重ね置き、一体として組み付ける。
前掲の図式ではっきりと示したように、上枠８０はプラスチック或いは金属材質そのものの弾性を利用してベース２０上に組み合わせたものなので、取り外してベース２０内部の各部品を取り出し洗浄や交換が可能である。
【００１３】
このほかに、粉塵濾過除去効果を増進するため、本考案の実施例では更にベース２０の底縁には第１粘着帯２４を有し、第一粘着体２４の表面は取り外し可能なフィルタースポンジ９０の第２粘着帯９１に対応して貼り付けられて位置を定めている。第１、２粘着帯２４、９１は枠型の薄片体を呈していて、その中のひとつはオス粘着帯であり、もうひとつはメス粘着帯である。これにより、外部空気がこのエアフィルター１００に吸入される前に、大部分の粉塵を濾過除去し、使用してしばらくの時間の後、取り外し可能なフィルタースポンジ９０は第１、２粘着帯２４、９１により取り外し、洗浄或いは交換が容易にできる。エアフィルター１００内部には上、下層フィルタースポンジ６０、５０が有るが、この取り外し可能なフィルタースポンジ９０を必要に応じ選択使用することができ、この点において比較的優れている。
【００１４】
前掲の各項部品の組み合わせ以外に、本考案の実施例の最大の特徴はそのセラミックフィルター芯４０の構成にあり、それは本考案の前述の功能を達成した重要な設計である。図５に示すように、高酸素セラミックパウダーに粘着剤、発泡剤及び固形剤を添加し発泡成型した後、多数の流通のための穴４１を形成し、これらの流通のための穴４１は不規則に隙間無く広がっていて、穴と穴が繋がっているため、濾過面積を増加させることができ、従って空気吸入時充分にそのセラミックフィルター芯４０と接触させることができる。また、発泡成型されたフィルター片は硬固であるため、穴４１は気流に圧迫されて変形することなく、永久に接触面積のバランスを保つことが可能である。セラミックフィルター芯４０は高酸素セラミックパウダーにより発泡成型される。この高酸素セラミックパウダーは酸化ジルコニウム（ＺｒＯ2）、三酸化二アルミ（Ａｌ2Ｏ3）及びカオリン等を混合して焼結させ、研磨してナノメートル級の粉末状に製成したもので、これらの材料は元来マイナスイオンを放出する功能を有していて、空気との接触後酸素含有量を増加させ、空気を活性化し燃焼効率を増進する。しかし、高酸素セラミックパウダーを発泡成型したフィルター片は、マイナスイオンを放出することにより酸素分子を帯びさせる功能には限度があり、進入する空気の速度が速ければ、短時間のうちに酸素、窒素分子を使用して分解することは困難である。このため、本考案の実施例ではひとつのナノメートル級のプラチナ金属粉(俗称黒色プラチナPlatinum Black)をセラミックフィルター芯４０に塗布或いは添加する。半導体メーカーが現在常用する蒸メッキ或いは噴射メッキ方式により、黒色プラチナをそれぞれの流通のための穴４１の表面に付着させ、進入する空気と接触させる。黒色プラチナは価格が非常に高いが、最も優れた効率を達成するため、これは比較的優れた選択である。多くの先進的な科学文献中に既に掲示されているように、プラチナは本来水分子に対し表面触媒作用を有することが証明されていて、水２Ｈ2Ｏを２Ｈ2及びＯ2に分解生成することが可能で、本考案の実施例ではこの特性を利用しプラチナによりナノメートル粉末を製成する。ナノメートル粒子の表面積は大きいため、表面活性の中心が大きく、よって極めて優れた水触媒材料となり、反応効率を非常に高め、吸入する空気がセラミックフィルター芯４０の流通のための穴４１を通過する際、触媒作用を産み出し、水分子団（Cluster）を細微化することにより、水分子の自由度を増加させ、酸素、窒素分子を瞬時に分解し、内燃機に噴入するガソリンと共に充分に攪拌霧化され、燃焼効率を増進させる。
【００１５】
内燃機燃焼効率を増加させることは、即ち省燃費及びパワーアップの効果もあり、且つ放出される排気中に含まれる一酸化炭素等の有毒気体の含有量を減らし、環境保護増進の目的を達成する。
【図面の簡単な説明】
【００１６】
【図１】従来のエアフィルターの構造を示す分解立体図である。
【図２】本考案の実施例によるナノメートル黒水晶セラミック水触媒内燃機エアフィルターを示す分解立体図である。
【図３】本考案の実施例によるナノメートル黒水晶セラミック水触媒内燃機エアフィルターを示す外観図である。
【図４】図３の４−４線に沿う断面を示す剖示図である。
【図５】図４の部分拡大図である。
【符号の説明】
【００１７】
２０  ベース、２１  定位凸縁、２２  外環枠面、２３  内環枠面、２４  第１粘着帯、３０  下層金属網、４０  セラミックフィルター芯、４１  流通のための穴、４２  ナノメートル黒色プラチナ、５０  下層フィルタースポンジ、６０  上層フィルタースポンジ、７０  上層金属網、８０  上枠、８１  外側枠、８２  内側枠、９０  取り外し可能式フィルタースポンジ、９１  第２粘着帯、１００  エアフィルター
【図１】
0003108129.tif 000003
【図２】
0003108129.tif 000004
【図３】
0003108129.tif 000005
【図４】
0003108129.tif 000006
【図５】
0003108129.tif 000007